(57)【特許請求の範囲】
【請求項１】
内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、冷凍ケーシングの下部とハウジングとを締結固定するボルトと、駆動モータと減速機構とを一体に構成してなりハウジング内でオーガの下端部と連結されてオーガの回転駆動を行うギャードモータとを備えたオーガ式製氷機において、
前記ボルトの頭部下面に当接する平板部と、前記平板部の周囲を折曲した折曲部を有し、前記平板部と折曲部により構成される収納部を備える座金と、
前記収納部内において、前記座金と共にボルトの軸部に挿通され、前記収納部の高さ寸法よりも大きな厚みを有する弾性シール部材を備え、
前記弾性シール部材は、ボルトによる締結固定時において、前記折曲部方向への変形量が規制されつつ、弾性変形することを特徴とするオーガ式製氷機。
【請求項２】
内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されてオーガの回転駆動を行うギャードモータと、ハウジングとギャードモータとを締結固定するボルトとを備えたオーガ式製氷機において、
前記ボルトの頭部下面に当接する平板部と、前記平板部の周囲を折曲した折曲部を有し、前記平板部と折曲部により構成される収納部を備える座金と、
前記収納部内において、前記座金と共にボルトの軸部に挿通され、前記収納部の高さ寸法よりも大きな厚みを有する弾性シール部材を備え、
前記弾性シール部材は、ボルトによる締結固定時において、前記折曲部方向への変形量が規制されつつ、弾性変形することを特徴とするオーガ式製氷機。
【請求項３】
内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されて
オーガの回転駆動を行うギャードモータと、ギャードモータに設けられる上下一対のケースを締結固定するボルトとを備えたオーガ式製氷機において、
前記ボルトの頭部下面に当接する平板部と、前記平板部の周囲を折曲した折曲部を有し、前記平板部と折曲部により構成される収納部を備える座金と、
前記収納部内において、前記座金と共にボルトの軸部に挿通され、前記収納部の高さ寸法よりも大きな厚みを有する弾性シール部材を備え、
前記弾性シール部材は、ボルトによる締結固定時において、前記折曲部方向への変形量が規制されつつ、弾性変形することを特徴とするオーガ式製氷機。
【請求項４】
内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されてオーガの回転駆動を行うギャードモータと、ギャードモータとベースとを締結固定するボルトとを備えたオーガ式製氷機において、
前記ボルトの頭部下面に当接する平板部と、前記平板部の周囲を折曲した折曲部を有し、前記平板部と折曲部により構成される収納部を備える座金と、
前記収納部内において、前記座金と共にボルトの軸部に挿通され、前記収納部の高さ寸法よりも大きな厚みを有する弾性シール部材を備え、
前記弾性シール部材は、ボルトによる締結固定時において、前記折曲部方向への変形量が規制されつつ、弾性変形することを特徴とするオーガ式製氷機。
【請求項５】
内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されてオーガの回転駆動を行うギャードモータと、冷凍ケーシング内に配置される製氷シリンダの上部と氷圧縮ヘッドとを締結固定するボルトとを備えたオーガ式製氷機において、
前記ボルトの頭部下面に当接する平板部と、前記平板部の周囲を折曲した折曲部を有し、前記平板部と折曲部により構成される収納部を備える座金と、
前記収納部内において、前記座金と共にボルトの軸部に挿通され、前記収納部の高さ寸法よりも大きな厚みを有する弾性シール部材を備え、
前記弾性シール部材は、ボルトによる締結固定時において、前記折曲部方向への変形量が規制されつつ、弾性変形することを特徴とするオーガ式製氷機。
【発明の詳細な説明】
【０００１】
【発明の属する技術分野】
本発明は、ギャードモータを介して冷凍ケーシングの内部でオーガを回転させながら、冷凍ケーシング内に供給された製氷水を氷結させてフレーク状の氷を製造するオーガ式製氷機に関し、特に、オーガの下端部を回転可能に支持するハウジング、冷凍ケーシングの下部等のように水と接触し易い構成部品相互を締結固定するボルトの頭部の内側に弾性シール部材を設けることにより、ボルトの頭部の内側からネジ部への水の侵入を防止することが可能なオーガ式製氷機に関するものである。
【０００２】
【従来の技術】
従来より、各種のオーガ式製氷機が提案されており、例えば、実公昭６１−３２３０９号公報に記載されているように、かかるオーガ式製氷機は、一般に、筒状の冷凍ケーシングの内部で、その上部に配置された氷圧縮ヘッドと下部に配置されたハウジングとを介してオーガ（スクリュウ）を回転可能に支持し、ハウジング内でオーガの下端部に連結されるギャードモータを介してオーガを回転させながら冷凍ハウジング内に供給された製氷水を氷結してフレーク状の氷を製造するように構成されている。
【０００３】
前記オーガ式製氷機において、オーガの下端部を回転可能に支持するハウジングは、ボルトを介して冷凍ケーシングの下部に締結固定されており、また、ハウジングとギャードモータとは同様にボルトを介して相互に締結固定されている。更に、ギャードモータの減速装置は通常上下一対のケースを有するとともに、各ケースはボルトを介して相互に締結固定されており、また、ギャードモータ自体もボルトを介してベース（製氷機固定ベース）に締結固定されている。更に、オーガの上端部を回転可能に支持する氷圧縮ヘッド（押圧頭）が冷凍ケーシングの上部に配置されており、この氷圧縮ヘッドはボルト等の固定具を介して冷凍ケーシングに締結固定されている。
前記したオーガ式製氷機を構成する各構成部品相互をボルトにより締結固定するに際しては、ボルトの頭部の内側に金属製のワッシャを介挿しつつネジ部を介して構成部品相互の締結固定を行っている。
【０００４】
【発明が解決しようとする課題】
ところで、前記各構成部品は、製氷機の特質上常時水と接触する機会に晒されているものであるが、前記したオーガ式製氷機では、各構成部品を締結固定するについてボルトの頭部の内側に金属製ワッシャを介在させてネジ部により構成部品相互を締結固定しているに過ぎない。かかる場合、金属製ワッシャは、ボルトの締結固定時に殆ど変形することはなく、ボルトの頭部の内側からネジ部への水の侵入を防止するシール作用を有するものではない。これより、ボルトの頭部の内側からネジ部へ水が除々に侵入してしまうこととなる。
【０００５】
このように、ボルトの頭部の内側からネジ部へ水が侵入すると、その侵入した水によってネジ部が錆び付いてしまい、ボルトのネジ部が構成部品に固着されてしまうこととなる。これより、各構成部品のメンテナンスを行う際にボルトを回転させて取り外すことが困難となって構成部品のメンテナンスをスムーズに行うことができなくなるという問題がある。
【０００６】
また、ボルトの頭部の内側からネジ部に侵入する水中に含有される不純物がネジ部に堆積されてスケールが固着してしまう。ここに、スケールとは、水分中に含有されて氷にはならない不純物（シリカ、カルシウム、マグネシウム等）が、水分の蒸発に伴って固形化した固形物をいう。特に、シリカは硬いスケールとなる。このようにボルトのネジ部にスケールが堆積されると、前記の場合と同様、各構成部品のメンテナンスを行う際にボルトを回転させて取り外すことが困難となって構成部品のメンテナンスをスムーズに行うことができなくなるという問題がある。
【０００７】
本発明は前記従来の問題点を解消するためになされたものであり、オーガの下端部を回転可能に支持するハウジング、冷凍ケーシングの下部等のように水と接触し易い構成部品相互を締結固定するボルトの頭部の内側に弾性シール部材を設けることにより、ボルトの頭部の内側からネジ部への水の侵入を防止することが可能なオーガ式製氷機を提供することを目的とする。
【０００８】
【課題を解決するための手段】
前記目的を達成するため請求項１に係るオーガ式製氷機は、内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、冷凍ケーシングの下部とハウジングとを締結固定するボルトと、駆動モータと減速機構とを一体に構成してなりハウジング内でオーガの下端部と連結されてオーガの回転駆動を行うギャードモータとを備えたオーガ式製氷機において、前記ボルトの頭部下面に当接する平板部と、前記平板部の周囲を折曲した折曲部を有し、前記平板部と折曲部により構成される収納部を備える座金と、前記収納部内において、前記座金と共にボルトの軸部に挿通され、前記収納部の高さ寸法よりも大きな厚みを有する弾性シール部材を備え、前記弾性シール部材は、ボルトによる締結固定時において、前記折曲部方向への変形量が規制されつつ、弾性変形することを特徴とする。
【０００９】
請求項１のオーガ式製氷機では、冷凍ケーシングの下部とハウジングとを締結固定するボルトの頭部の内側に座金及び弾性シール部材を備え、締結固定時に弾性シール部材を座金の折曲部方向への変形量を規制しつつ、弾性変形させてボルトの頭部の内側からネジ部への水の侵入を防止するように構成したので、ボルトのネジ部が錆び付いてしまうことを確実に防止することが可能となり、また、ボルトのネジ部にスケールが堆積付着してしまうことを確実に防止することが可能となる。これにより、冷凍ケーシング等のオーガ式製氷機を構成する各種構成部品のメンテナンスを行う際に、構成部品からボルトを容易に取り外すことができ、メンテナンスを極めて短時間でスムーズに行うことができるものである。
【００１０】
また、請求項２に係るオーガ式製氷機は、内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されてオーガの回転駆動を行うギャードモータと、ハウジングとギャードモータとを締結固定するボルトとを備えたオーガ式製氷機において、前記ボルトの頭部下面に当接する平板部と、前記平板部の周囲を折曲した折曲部を有し、前記平板部と折曲部により構成される収納部を備える座金と、前記収納部内において、前記座金と共にボルトの軸部に挿通され、前記収納部の高さ寸法よりも大きな厚みを有する弾性シール部材を備え、前記弾性シール部材は、ボルトによる締結固定時において、前記折曲部方向への変形量が規制されつつ、弾性変形することにより、ボルトの頭部の内側からネジ部への水の侵入を防止することを特徴とする。
【００１１】
請求項２のオーガ式製氷機では、ハウジングとギャードモータとを締結固定するボルトの頭部の内側に座金及び弾性シール部材を備え、締結固定時に弾性シール部材を座金の折曲部方向への変形量を規制しつつ、弾性変形させてボルトの頭部の内側からネジ部への水の侵入を防止するように構成したので、ボルトのネジ部が錆び付いてしまうことを確実に防止することが可能となり、また、ボルトのネジ部にスケールが堆積付着してしまうことを確実に防止することが可能となる。これにより、ハウジング等のオーガ式製氷機を構成する各種構成部品のメンテナンスを行う際に、構成部品からボルトを容易に取り外すことができ、メンテナンスを極めて短時間でスムーズに行うことができるものである。
【００１２】
更に、請求項３に係るオーガ式製氷機は、内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されてオーガの回転駆動を行うギャードモータと、ギャードモータに設けられる上下一対のケースを締結固定するボルトとを備えたオーガ式製氷機において、前記ボルトの頭部下面に当接する平板部と、前記平板部の周囲を折曲した折曲部を有し、前記平板部と折曲部により構成される収納部を備える座金と、前記収納部内において、前記座金と共にボルトの軸部に挿通され、前記収納部の高さ寸法よりも大きな厚みを有する弾性シール部材を備え、前記弾性シール部材は、ボルトによる締結固定時において、前記折曲部方向への変形量が規制されつつ、弾性変形することにより、ボルトの頭部の内側からネジ部への水の侵入を防止することを特徴とする。
【００１３】
請求項３のオーガ式製氷機では、ギャードモータに設けられる上下一対のケースを締結
固定するボルトの頭部の内側に座金及び弾性シール部材を備え、締結固定時に弾性シール部材を座金の折曲部方向への変形量を規制しつつ、弾性変形させてボルトの頭部の内側からネジ部への水の侵入を防止するように構成したので、ボルトのネジ部が錆び付いてしまうことを確実に防止することが可能となり、また、ボルトのネジ部にスケールが堆積付着してしまうことを確実に防止することが可能となる。これにより、ギャードモータ等のオーガ式製氷機を構成する各種構成部品のメンテナンスを行う際に、構成部品からボルトを容易に取り外すことができ、メンテナンスを極めて短時間でスムーズに行うことができるものである。
【００１４】
また、請求項４に係るオーガ式製氷機は、内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されてオーガの回転駆動を行うギャードモータと、ギャードモータとベースとを締結固定するボルトとを備えたオーガ式製氷機において、前記ボルトの頭部下面に当接する平板部と、前記平板部の周囲を折曲した折曲部を有し、前記平板部と折曲部により構成される収納部を備える座金と、前記収納部内において、前記座金と共にボルトの軸部に挿通され、前記収納部の高さ寸法よりも大きな厚みを有する弾性シール部材を備え、前記弾性シール部材は、ボルトによる締結固定時において、前記折曲部方向への変形量が規制されつつ、弾性変形することにより、ボルトの頭部の内側からネジ部への水の侵入を防止することを特徴とする。
【００１５】
請求項４のオーガ式製氷機では、ギャードモータとベースとを締結固定するボルトの頭部の内側に座金及び弾性シール部材を備え、締結固定時に弾性シール部材を座金の折曲部方向への変形量を規制しつつ、弾性変形させてボルトの頭部の内側からネジ部への水の侵入を防止するように構成したので、ボルトのネジ部が錆び付いてしまうことを確実に防止することが可能となり、また、ボルトのネジ部にスケールが堆積付着してしまうことを確実に防止することが可能となる。これにより、ギャードモータ等のオーガ式製氷機を構成する各種構成部品のメンテナンスを行う際に、構成部品からボルトを容易に取り外すことができ、メンテナンスを極めて短時間でスムーズに行うことができるものである。
【００１６】
更に、請求項５に係るオーガ式製氷機は、内部にオーガを有する筒状の冷凍ケーシングと、オーガの上端部を回転可能に支持するとともに冷凍ケーシングの上部に配置された氷圧縮ヘッドと、オーガの下端部を回転可能に支持するとともに冷凍ケーシングの下部に配置されたハウジングと、駆動モータと減速機構とを一体に構成してなりハウジング内でオーガの下端部と連結されてオーガの回転駆動を行うギャードモータと、冷凍ケーシング内に配置される製氷シリンダの上部と氷圧縮ヘッドとを締結固定するボルトとを備えたオーガ式製氷機において、前記ボルトの頭部下面に当接する平板部と、前記平板部の周囲を折曲した折曲部を有し、前記平板部と折曲部により構成される収納部を備える座金と、
前記収納部内において、前記座金と共にボルトの軸部に挿通され、前記収納部の高さ寸法よりも大きな厚みを有する弾性シール部材を備え、前記弾性シール部材は、ボルトによる締結固定時において、前記折曲部方向への変形量が規制されつつ、弾性変形することにより、ボルトの頭部の内側からネジ部への水の侵入を防止することを特徴とする。
【００１７】
請求項５のオーガ式製氷機では、冷凍ケーシング内に配置される製氷シリンダの上部と氷圧縮ヘッドとを締結固定するボルトの頭部の内側に座金及び弾性シール部材を備え、締結固定時に弾性シール部材を座金の折曲部方向への変形量を規制しつつ、弾性変形させてボルトの頭部の内側からネジ部への水の侵入を防止するように構成したので、ボルトのネジ部が錆び付いてしまうことを確実に防止することが可能となり、また、ボルトのネジ部にスケールが堆積付着してしまうことを確実に防止することが可能となる。これにより、
製氷シリンダ、氷圧縮ヘッド等のオーガ式製氷機を構成する各種構成部品のメンテナンスを行う際に、構成部品からボルトを容易に取り外すことができ、メンテナンスを極めて短時間でスムーズに行うことができるものである。
【００１８】
ここに、前記請求項１乃至請求項５のオーガ式製氷機にて、オーガ式製氷機を構成する各種構成部品を締結固定する際に、ボルトの頭部の内側に設けられる弾性シール部材は、ゴム材から形成されることが望ましく、かかるゴム製の弾性シール部材を使用することにより、ボルトの締結固定時にその頭部の内側面に対向する構成部品の面が凹凸面に形成されている場合においても、ゴム製の弾性シール部材は、弾性変形して構成部品の凹凸面に隙間なくフィットされる。これにより、ボルトの頭部の内側面に対向する構成部品の面に特別の加工を行うことなく、また、構成部品の面の凹凸状況に拘わらず、ゴム製の弾性シール部材を介してボルトの頭部の内側からネジ部への水の侵入を確実に防止することが可能となる。更に、組立効率を向上させるべく構成部品に形成されるボルト挿通孔を長孔状に形成した場合においても、ゴム製の弾性シール部材は、フレキシブルに弾性変形して長孔状のボルト挿通孔にフィットするので、構成部品相互間に位置ずれが発生してしまうことを確実に防止することが可能となる。
【００１９】
【発明の実施の形態】
以下、本発明に係るオーガ式製氷機について、本発明を具体化した実施形態について図面を参照しつつ詳細に説明する。
先ず、本発明の参考形態となるオーガ式製氷機の概略構成について図１、図２に基づき説明する。図１はオーガ式製氷機の模式断面図、図２はオーガ式製氷機の分解斜視図である。
【００２０】
図１、図２に示すオーガ式製氷機１において、その下部にはギャードモータ２が配設されており、このギャードモータ２は、駆動モータ３と減速装置４とが一体に構成されている。駆動モータ３は単相１００Ｖで駆動され、また、減速装置４内に設けられた減速機構には平行軸平歯車３段方式が使用されている。また、減速装置４は、アルミダイキャスト製の下カバー４Ａ及び上カバー４Ｂを有し、下カバー４Ａと上カバー４Ｂとは、複数個の六角穴付ボルト５を介して相互に締結されている。各六角穴付ボルト５の頭部５Ａの内側には、後述するようにゴム製の弾性シール部材１４が設けられている。更に、ギャードモータ２は、長尺状の六角穴付ボルト５’を各上カバー４Ａ、下カバー４Ｂに貫通させることにより、ベースＢ（オーガ式製氷機１を固定するためのベース）に対して固定されている。尚、かかる長尺状の六角穴付ボルト５’の頭部５Ａの内側に対しても、後述するように弾性シール部材１４が設けられている。
【００２１】
減速装置４の上カバー４Ｂには連結口６が設けられており、この連結口６には減速機構の出力軸７が臨んでいる。出力軸７にはスプライン継手８の下端が取り付けられ、また、スプライン継手８の上端は後述するオーガ１５の下端部に連結されている。連結口６の周囲に形成された上カバー４Ｂのフランジ部９は、ハウジング１０の下部に形成されたフランジ部１１と重ね合わされ、複数箇所で六角穴付ボルト５とこの六角穴付ボルト５の頭部５Ａの内側に配置された座金１３及び弾性シール部材１４とを介して相互に締結されている。ここに、ハウジング１０は銅合金から形成されており、その内側には樹脂製の軸受（図示せず）が圧入されている。かかるハウジング１０は、ギャードモータ２と冷凍ケーシング１８とを相互に接続固定する作用を行うものである。
【００２２】
オーガ１５はステンレスから形成されており、その周囲に螺旋状のオーガ歯１５Ａを有する。かかるオーガ歯１５Ａは、冷凍ケーシング１８内で成長したシャーベット状の氷を冷凍ケーシング１８の内壁から剥ぎ取りながら冷凍ケーシング１８の上方に向かって押し上げる作用を行う。また、オーガ１５の下端部１５Ｂは、ハウジング１０内でスプライン継手８の上端に連結されている。これにより、オーガ１５は、ギャードモータ２（駆動モータ３、減速装置４）、及び、スプライン継手８を介して、ゆっくりと回転され、その回転に伴って冷凍ケーシング１８内で成長した氷を上方に押し上げる。
【００２３】
尚、オーガ１５の下端部１５Ｂの上方位置にはメカニカルシール１６が配置され、このメカニカルシール１６は、冷凍ケーシング１８内に供給される製氷水が漏出しないようにシールを行うものである。また、Ｏリング１７が、ハウジング１０の周壁に配置されている。
【００２４】
冷凍ケーシング１８はステンレス製の製氷シリンダ１９を有しており、また、その外周壁は断熱材（発砲ポリウレタン）から形成されている。シリンダ１９のシリンダ壁１９Ａの外周には銅製の冷却パイプ２０が巻かれている。冷却パイプ２０は、公知の冷凍ユニット（コンプレッサ、コンデンサ、脱水器等からなる）に接続されている。そして、冷却パイプ２０内に導入された冷媒は、急激な圧力低下に基づいて冷却パイプ２０内で蒸発され、この時に、多量の気化熱を奪うことから、製氷シリンダ１９内の温度が急激に低下されるとともに、製氷シリンダ１９におけるシリンダ壁１９Ａの内面の製氷水が氷結されるものである。尚、冷凍ユニットの構成については公知であるので、ここではその詳細な説明を省略する。
【００２５】
冷凍ケーシング１８の上部位置において、製氷シリンダ１９内の上端部には、ステンレス製の氷圧縮ヘッド２１が嵌合されており、かかる氷圧縮ヘッド２１と製氷シリンダ１９の上部とは、座金２２及び後述する弾性シール部材１４を介して六角穴付ボルト５により複数箇所にて締結固定されている。ここに、弾性シール部材１４は、六角穴付ボルト５の頭部５Ａの内側と座金２２との間に配置されている。また、氷圧縮ヘッド２１の内部には、樹脂製の軸受（図示せず）が嵌着されており、この軸受には、製氷シリンダ１９内に挿通されたオーガ１５の上端部１５Ｃが回転可能に支持されている。更に、オーガ１５における上端部１５Ｃの頂部には、座金２３を介してカッタ２４が六角ボルト２５により固定されており、カッタ２４はオーガ１５の回転に従って回転される。ここに、氷圧縮ヘッド２１は固定刃としての作用を行い、前記のようにオーガ１５を介して製氷シリンダ１９内を上方に押し上げられたシャーベット状の氷は、氷圧縮ヘッド２１により圧縮されて柱状の氷となるとともに、カッタ２４を介して削られてフレーク状の氷が生成されるものである。このように生成されたフレーク状の氷は、氷排出部３１から矢印Ａ方向に排出される。
【００２６】
また、冷凍ケーシング１８の上部には、排水パイプ２６が一体に形成された露受皿２７が配設されており、この露受皿２７は、六角穴付ボルト５の付近から漏水する製氷水を受けるとともに、排水パイプ２６を介して排出するものである。更に、冷凍ケーシング１８の下部には、製氷シリンダ１９の内部に連通する吸水口２８が形成されている。この吸水口２８には、公知の製氷水供給タンクが連結されており、吸水口２８から矢印Ｂ方向に沿って製氷シリンダ１９内に供給された製氷水が製氷シリンダ１９内で前記のように製氷されるものである。
【００２７】
更に、冷凍ケーシング１８の下部位置において、製氷シリンダ１９の内部には前記したハウジング１０が配設されており、冷凍ケーシング１８の下部とハウジング１０とは、弾性シール部材１４を介在させた状態で六角穴付ボルト５により複数箇所にて締結固定されている。各六角穴付ボルト５の頭部５Ａの内側には、前記と同様、弾性シール部材１４が設けられている。
【００２８】
次に、前記のように、減速装置４の下ケース４Ａと上ケース４Ｂとの締結固定、製氷シリンダ１９の下部とハウジング１０との締結固定、ギャードモータ２とハウジング１０との締結固定、及び、ギャードモータ２とベースＢとの締結固定に、それぞれ使用される六
角穴付ボルト５、５’とその頭部５Ａの内側に設けられる弾性シール部材１４との関係について図３に基づき説明する。図３は六角穴付ボルト５、５’の頭部５Ａの内側に弾性シール部材１４を介在させつつ六角穴付ボルト５、５’を締結していく際に弾性シール部材が変形していく状態を経時的に示す模式断面図である。尚、以下の説明においては、製氷シリンダ１９の下部とハウジング１０とを締結固定する場合を例にとって説明することとするが、減速装置４の下ケース４Ａと上ケース４Ｂとの締結固定、ギャードモータ２とハウジング１０との締結固定、及び、ギャードモータ２とベースＢとの締結固定のいずれの場合においても同様の構成、効果を有することはいうまでもない。
【００２９】
図３において、六角穴付ボルト５は頭部５Ａとネジ部５Ｂとからなり、また、頭部５Ａには六角穴が形成されている。かかる六角穴付ボルト５は、その締結及びリリースを行う際に、スパナ等の大型の工具を使用することなく、六角穴に嵌合される小型の専用治具で締結及びリリースが可能であるので、オーガ式製氷機１においてスペースの狭い締結箇所に使用されている。また、六角穴付ボルト５の内側（図３中下側）には座金１３が配置されており、更に座金１３の内側（図３中下側）には、弾性シール部材１４が介挿されている。かかる弾性シール部材は、ＮＢＲゴム等ゴム材から形成されており、六角穴付ボルト５の締結時に座金１３を介して締結荷重がかけられた際にフレキシブルに弾性変形することが可能である。弾性シール部材１４は、座金１３と略同等のサイズに形成されている。
【００３０】
次に、六角穴付ボルト５を介して製氷シリンダ１９の下部とハウジング１０とを締結固定する方法について説明する。先ず、六角穴付ボルト５のネジ部５Ｂを座金１３の挿通孔１３Ａ及び弾性シール部材１４の挿通孔１４Ａに挿通し、頭部５Ａの内側に座金１３、弾性シール部材１４を配置する。この後、六角穴付ボルト５のネジ部５Ｂを製氷シリンダ１９の下部に形成されたネジ挿通孔１９Ａ（六角穴付ボルト５のネジ部５Ｂよりも大きな径を有する）に挿通しながら、専用治具を使用してネジ部５Ｂをハウジング１０に形成された締結孔（図示せず）に締結固定していく。このようにハウジング１０に対するネジ部５Ｂの締結固定の開始状態が図３（Ａ）に示されている。図３（Ａ）から明らかなように、締結固定の開始状態においては、弾性シール部材１４は、未だそれ程弾性変形していない。
【００３１】
更に、六角穴付ボルト５のネジ部５Ｂの締結固定を行っていくと、六角穴付ボルト５の頭部５Ａ、座金１３から弾性シール部材１４に除々に大きな締結荷重が負荷されていく。これに伴って弾性シール部材１４は、その弾性変形作用に基づいて、座金１３の外側及び挿通孔１４Ａの内側（ネジ部５Ｂに向かう側）にへ弾性変形していく。この状態が図３（Ｂ）に示されている。図３（Ｂ）から明らかなように、弾性シール部材１４は、座金１３の下側で薄くなるとともに、座金１３の外側で外側膨出部１４Ｂが形成され且つ挿通孔１４Ａの内側で内側膨出部１４Ｃが形成されるようになる。
【００３２】
更に、図３（Ｂ）の状態から六角穴付ボルト５のネジ部５Ｂの締結固定を行っていくと、弾性シール部材１４には更に大きな締結荷重が負荷されていくことに基づき、弾性シール部材１４は、座金１３の下側で更に薄くなるとともに、外側膨出部１４Ｂ及び内側膨出部１４Ｃが更に大きくなる。この状態が図３（Ｃ）に示されている。図３（Ｃ）から明らかなように、弾性シール部材１４の外側膨出部１４Ｂは、座金１３の厚さ以上の大きさに変形されており、また、内側膨出部１４Ｃも大きく変形してネジ部５Ｂのネジ山部に弾性的に密着している。かかる外側膨出部１４Ｂは座金１３の外周縁部を確実にシールし、また、座金１３の内側面と製氷シリンダ１９の外側面との間に介在され、外側膨出部１４Ｂに連続する弾性シール部材１４は、座金１３の内側面と製氷シリンダ１９の外側面間を確実にシールし、更に、内側膨出部１４Ｃは頭部５Ａに近接する位置でネジ部５Ｂに密着してシールする。
【００３３】
以上説明した通り前記参考形態に係るオーガ式製氷機１においては、製氷シリンダ１９の下部とハウジング１０との締結固定、減速装置４の下ケース４Ａと上ケース４Ｂとの締結固定、ギャードモータ２とハウジング１０との締結固定、ギャードモータ２とベースＢとの締結固定、及び、冷凍ケーシング１８内の製氷シリンダ１９の上部と氷圧縮ヘッド２１との締結固定を行うに際して、六角穴付ボルト５の内側に座金１３、ゴム製の弾性シール部材１４を介在させるとともに、六角穴付ボルト５のネジ部５Ｂの締結固定により発生する締結荷重を弾性シール部材１４に作用させ、座金１３の外側で外側膨出部１４Ｂ及び挿通孔１４Ｂの内側でネジ部５Ｂのネジ山部に密着する内側膨出部１４Ｃが形成されるように弾性変形させるので、外側膨出部１４Ｂを介して座金１３の外周縁部を確実にシールすることができ、また、座金１３の内側面と製氷シリンダ１９の外側面との間に介在され、外側膨出部１４Ｂに連続する弾性シール部材１４を介して、座金１３の内側面と製氷シリンダ１９の外側面間を確実にシールすることができ、更に、内側膨出部１４Ｃを介して頭部５Ａに近接する位置でネジ部５Ｂに密着してシールすることができる。これにより、六角穴付ボルト５の頭部５Ａの内側からネジ部５Ｂへの水の侵入、及び、頭部５Ａの内側とネジ部５Ｂとの間の水の出入を確実に防止することができることから、六角穴付ボルト５のネジ部５Ｂが錆び付いてしまうことを確実に防止することができる。この結果、冷凍ケーシング１８等のオーガ式製氷機１を構成する各種構成部品のメンテナンスを行う際に、構成部品から六角穴付ボルト５を容易に取り外すことができ、メンテナンスを極めて短時間でスムーズに行うことができるものである。
【００３４】
また、前記のように、六角穴付ボルト５の頭部５Ａの内側からネジ部５Ｂへの水の侵入を確実に防止することができることから、六角穴付ボルト５のネジ部５Ｂにスケールが堆積付着してしまうことを確実に防止することができる。これにより、スケールにより六角穴付ボルト５の取り外しができなくなることを防止し、冷凍ケーシング１８等のオーガ式製氷機１を構成する各種構成部品のメンテナンスを行う際に、構成部品から六角穴付ボルト５を容易に取り外すことができ、メンテナンスを極めて短時間でスムーズに行うことができるものである。
【００３５】
更に、弾性シール部材１４は、フレキシブルに弾性変形可能なゴム材から形成されているので、六角穴付ボルト５の締結固定時にその頭部５Ａの内側面に対向する構成部品の面が凹凸面に形成されている場合においても、ゴム製の弾性シール部材１４は、弾性変形して構成部品の凹凸面に隙間なくフィットされる。これにより、ボルト５の頭部５Ａの内側面に対向する構成部品の面に特別の加工を行うことなく、また、構成部品の面の凹凸状況に拘わらず、ゴム製の弾性シール部材１４を介してボルト５の頭部５Ａの内側からネジ部５Ｂへの水の侵入を確実に防止することができる。更に、組立効率を向上させるべく構成部品に形成されるボルト挿通孔を長孔状に形成した場合においても、ゴム製の弾性シール部材１４は、フレキシブルに弾性変形して長孔状のボルト挿通孔にフィットするので、構成部品相互間に位置ずれが発生してしまうことを確実に防止することが可能となる。
【００３６】
続いて、前記した参考形態に基づいて、本実施形態に係るオーガ式製氷機１の構成について図４及び図５に基づき説明する。図４は本実施形態において弾性シール部材を使用して六角穴付ボルトによりオーガ式製氷機の構成部品を締結固定する状態を示す模式断面図、図５は六角穴付ボルトにおける頭部の内側に配置される座金及び弾性シール部材を示す説明図である。尚、本実施形態では、座金及び弾性シール部材が前記参考形態の場合とは異なっているのみであり、残余の構成については前記参考形態と同一の構成を有する。従って、以下の説明においては座金と弾性シール部材の構成のみに着目して説明することとし、前記参考形態の場合と同一の番号を付して説明する。
【００３７】
この実施形態においても、前記参考形態の場合と同様、製氷シリンダ１９の下部とハウジング１０とを締結固定する場合を例にとって説明することとするが、減速装置４の下ケ
ース４Ａと上ケース４Ｂとの締結固定、ギャードモータ２とハウジング１０との締結固定、及び、ギャードモータ２とベースＢとの締結固定のいずれの場合においても同様の構成、効果を有することはいうまでもない。
【００３８】
図４において、六角穴付ボルト５は頭部５Ａとネジ部５Ｂとからなり、また、頭部５Ａには六角穴が形成されている。また、六角穴付ボルト５の内側（図４中下側）には座金１３が配置されている。かかる座金１３は、図４及び図５（Ｂ）に示されるように、平板部１３Ｂ及び平板部１３Ｂの周囲を折曲した折曲部１３Ｃとから構成されている。平板部１３Ｂの中央部には、六角穴付ボルト５のネジ部５Ｂを挿通する挿通孔１３Ａが形成されている。ここに、平板部１３Ｂと折曲部１３Ｃとで構成される空間は、弾性シール部材１４の一部を収納する収納部１３Ｄとなる。
【００３９】
また、前記のように構成された座金１３の収納部１３Ｄには、弾性シール部材１４の一部が収納配置される。かかる弾性シール部材１４は、ＮＢＲゴム等ゴム材から形成されており、六角穴付ボルト５の締結時に座金１３を介して締結荷重がかけられた際にフレキシブルに弾性変形することが可能である。また、弾性シール部材１４は、図４及び図５（Ｃ）に示されるように、その中央部に六角穴付ボルト５のネジ部５Ｂを挿通する挿通孔１４Ａが形成されており、全体としてリング形状に構成されている。尚、弾性シール部材１４の厚さは、座金１３の収納部１３Ｄの収納高さの２倍程度に形成されている。
【００４０】
次に、六角穴付ボルト５を介して製氷シリンダ１９の下部とハウジング１０とを締結固定する方法について説明する。先ず、六角穴付ボルト５のネジ部５Ｂを座金１３の挿通孔１３Ａ及び弾性シール部材１４の挿通孔１４Ａに挿通し、座金１３の収納部１３Ｄに弾性シール部材１４の一部が収納された状態で、頭部５Ａの内側に座金１３、弾性シール部材１４を配置する。この後、六角穴付ボルト５のネジ部５Ｂを製氷シリンダ１９の下部に形成されたネジ挿通孔１９Ａ（六角穴付ボルト５のネジ部５Ｂよりも大きな径を有する）に挿通しながら、専用治具を使用してネジ部５Ｂをハウジング１０に形成された締結孔（図示せず）に締結固定していく。締結固定の開始状態においては、弾性シール部材１４は、未だそれ程弾性変形していない。
【００４１】
更に、六角穴付ボルト５のネジ部５Ｂの締結固定を行っていくと、六角穴付ボルト５の頭部５Ａ、座金１３から弾性シール部材１４に除々に大きな締結荷重が負荷されていく。これに伴って弾性シール部材１４は、その弾性変形作用に基づいて、製氷シリンダ１９の当接面に密着されるとともに、挿通孔１４Ａの内側（ネジ部５Ｂに向かう側）へ弾性変形していく。このとき、弾性シール部材１４の外周縁は、折曲部１３Ｃに当接して変形が規制されているので、座金１３の外側には変形しない。かかる弾性変形に基づいて、弾性シール部材１４は、挿通孔１４Ａの内側で膨出変形し、除々にネジ部５Ｂのネジ山部に密着していく。
【００４２】
そして、締結固定が終了した時点では、弾性シール部材１４には更に大きな締結荷重が負荷されていくことに基づき、弾性シール部材１４の下面は製氷シリンダ１９の当接面に密着されるとともに、弾性シール部材１４における挿通孔１４Ａの内側膨出部が更に大きく変形して、ネジ部５Ｂのネジ山部に弾性的に密着する。この状態が図４に示されている。これにより、六角穴付ボルト５の頭部５Ａの内側からネジ部５Ｂへの水の侵入は確実に防止され得る。
【００４３】
前記図４、図５に示す実施形態に係る締結構造によっても、前記参考形態における締結構造と同様の効果を発現できることは明らかである。
【００４４】
尚、本発明は、前記各実施形態に限定されるものではなく、本発明の要旨を逸脱しない
範囲内で種々の改良、変形が可能であることは勿論である。例えば、前記各実施形態においては、六角穴付ボルト５の頭部５Ａの内側に座金１３及び弾性シール部材１４を介在させ、ボルト５の締結固定時に弾性シール部材１４を弾性変形させることにより、ボルト５の頭部５Ａの内側からネジ部５Ｂへの水の侵入及び水の出入を防止するように構成しているが、各実施形態における構成に加えて、図６に示す変形例のように、ボルト５の頭部５Ａにボルトキャップ４０を被着するとともに、ボルトキャップ４０の下端部４０Ａを弾性シール部材１４の外側膨出部１４Ｂと密着させるように構成してもよい。かかる場合には、前記した各実施形態の効果に加えて、水中に含有される不純物に起因してボルト５の頭部５Ａにスケールが形成されてしまうことを確実に防止することができる。
【００４５】
【発明の効果】
以上説明した通り本発明は、オーガの下端部を回転可能に支持するハウジング、冷凍ケーシングの下部等のように水と接触し易い構成部品相互を締結固定するボルトの頭部の内側に弾性シール部材を設けることにより、ボルトの頭部の内側からネジ部への水の侵入を防止することが可能なオーガ式製氷機を提供することができる。
【図面の簡単な説明】
【図１】  オーガ式製氷機の模式断面図である。
【図２】  オーガ式製氷機の分解斜視図である。
【図３】  六角穴付ボルトの頭部の内側に弾性シール部材を介在させつつ六角穴付ボルトを締結していく際に弾性シール部材が変形していく状態を経時的に示す模式断面図である。
【図４】  本実施形態において弾性シール部材を使用して六角穴付ボルトによりオーガ式製氷機の構成部品を締結固定する状態を示す模式断面図である。
【図５】  六角穴付ボルトにおける頭部の内側に配置される座金及び弾性シール部材を示す説明図である。
【図６】  ボルトの頭部にボルトキャップを被着した変形例を模式的に示す断面図である。
【符号の説明】
１・・・オーガ式製氷機、２・・・ギャードモータ、３・・・駆動モータ、
４・・・減速装置、４Ａ・・・下カバー、４Ｂ・・・上カバー、
５、５’・・・六角穴付ボルト、５Ａ・・・頭部、５Ｂ・・・ネジ部、
１０・・・ハウジング、１４・・・弾性シール部材、１４Ａ・・・挿通孔、
１４Ｂ・・・外側膨出部、１４Ｃ・・・内側膨出部、１５・・・オーガ、
１５Ｂ・・・オーガの下端部、１５Ｃ・・・オーガの上端部、
１８・・・冷凍ケーシング、１９・・・製氷シリンダ、２０・・・冷却パイプ、２１・・・氷圧縮ヘッド
【図１】
0003936518.tif 000002
【図２】
0003936518.tif 000003
【図３】
0003936518.tif 000004
【図４】
0003936518.tif 000005
【図５】
0003936518.tif 000006
【図６】
0003936518.tif 000007